(57)【要約】【課題】長期放置または連続駆動による動作不良を解消することができる反射型表示装置の駆動方法を提供する。【解決手段】共通電極の電位を、第１電位と第２電位との間である第３電位にし、各表示電極の電位を、表示すべき画像の情報に基づいて、第１電位と第２電位と第３電位のうちいずれかにする、という表示書き換え工程と、共通電極の電位を第１電位にし、各表示電極の電位を第２電位にする第１リセットステップと、共通電極の電位を第２電位にし、各表示電極の電位を第１電位にする第２リセットステップと、を交互に繰り返す、というリセット工程と、を備える。【選択図】図３
2016009031.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間には、複数の表示領域を覆う共通電極と、前記表示媒体が配置された表示媒体層と、前記複数の表示領域の各々に対応する複数の表示電極とが、前記一方の基板側から前記他方の基板側に向かって当該順序で設けられており、
前記複数の表示領域の各々は、当該表示領域に対応する表示電極に印加される電位の、前記共通電極に印加される電位に対する極性に応じて、第１色および第２色のうちいずれか一方の表示色を選択的に表示可能である、という反射型表示装置を駆動する方法であって、
前記共通電極の電位を、第１電位と第２電位との間である第３電位にし、各表示電極の電位を、表示すべき画像の情報に基づいて、前記第１電位と前記第２電位と前記第３電位のうちいずれかにする、という表示書き換え工程と、
前記共通電極の電位を前記第１電位にし、各表示電極の電位を前記第２電位にする第１リセットステップと、前記共通電極の電位を前記第２電位にし、各表示電極の電位を前記第１電位にする第２リセットステップと、を交互に繰り返す、というリセット工程と、
を備えたことを特徴とする反射型表示装置の駆動方法。
【請求項２】
前記第１リセットステップにおける電圧印加時間長および前記第２リセットステップにおける電圧印加時間長は、それぞれ、前記表示書き換え工程における電圧印加時間長よりも短い
ことを特徴とする請求項１に記載の反射型表示装置の駆動方法。
【請求項３】
前記反射型表示装置の電源投入後に、前記リセット工程を行う
ことを特徴とする請求項１または２に記載の反射型表示装置の駆動方法。
【請求項４】
各表示書き換え工程の前に、前記リセット工程を行う
ことを特徴とする請求項１乃至３のいずれかに記載の反射型表示装置の駆動方法。
【請求項５】
前記表示書き換え工程を所定の回数繰り返す毎に、前記リセット工程を行う
ことを特徴とする請求項１乃至３のいずれかに記載の反射型表示装置の駆動方法。
【請求項６】
所定の時間長が経過する毎に、前記リセット工程を行う
ことを特徴とする請求項１乃至５のいずれかに記載の反射型表示装置の駆動方法。
【請求項７】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間に設けられ、前記表示媒体が配置された表示媒体層と、
前記一方の基板上に設けられ、複数の表示領域を覆う共通電極と、
前記他方の基板上に設けられ、前記複数の表示領域の各々に対応する複数の表示電極と、
各表示電極にそれぞれ電圧を印加する電圧印加制御部と、
を備え、
前記複数の表示領域の各々は、当該表示領域に対応する表示電極に印加される電位の、前記共通電極に印加される電位に対する極性に応じて、第１色および第２色のうちいずれか一方の表示色を選択的に表示可能であり、
前記電圧印加制御部は、
前記共通電極の電位を、第１電位と第２電位との間である第３電位にし、各表示電極の電位を、表示すべき画像の情報に基づいて、前記第１電位と前記第２電位と前記第３電位のうちいずれかにする、という表示書き換え工程と、
前記共通電極の電位を前記第１電位にし、各表示電極の電位を前記第２電位にする第１リセットステップと、前記共通電極の電位を前記第２電位にし、各表示電極の電位を前記第１電位にする第２リセットステップと、を交互に繰り返す、というリセット工程と、
を行うように構成されている
ことを特徴とする反射型表示装置。
【請求項８】
前記第１リセットステップにおける電圧印加時間長および前記第２リセットステップにおける電圧印加時間長は、それぞれ、前記表示書き換え工程における電圧印加時間長よりも短い
ことを特徴とする請求項７に記載の反射型表示装置。
【請求項９】
前記電圧印加制御部は、当該反射型表示装置の電源投入後に、前記リセット工程を行うように構成されている
ことを特徴とする請求項７または８に記載の反射型表示装置。
【請求項１０】
前記電圧印加制御部は、各表示書き換え工程の前に、前記リセット工程を行うように構成されている
ことを特徴とする請求項７乃至９のいずれかに記載の反射型表示装置。
【請求項１１】
前記電圧印加制御部は、前記表示書き換え工程を所定の回数繰り返す毎に、前記リセット工程を行うように構成されている
ことを特徴とする請求項７乃至９のいずれかに記載の反射型表示装置。
【請求項１２】
前記電圧印加制御部は、所定の時間長が経過する毎に、前記リセット工程を行うように構成されている
ことを特徴とする請求項７乃至１１のいずれかに記載の反射型表示装置。
【発明の詳細な説明】
【技術分野】
【０００１】
本発明は、電子ペーパー等に応用されている反射型表示装置の駆動方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。例えば特許文献１（特開２００８−１７６３３７号公報）には、そのような電気泳動表示装置の従来例が開示されている。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置の１つのタイプの構造をより詳しく説明すると、一方の基板と他方の基板との間には、複数の表示領域を覆う共通電極と、電気泳動体を含む表示媒体が配置された表示媒体層と、複数の表示領域の各々に対応する複数の表示電極とが、一方の基板側から他方の基板側に向かって当該順序で設けられており、共通電極の電位、ＧＮＤ電位にされており、複数の表示領域の各々は、当該表示領域に対応する表示電極に印加される電圧の極性に応じて、第１色および第２色のうちいずれか一方の表示色を共通電極側（視認側）に選択的に表示可能である。
【０００５】
具体的には、例えば、表示媒体中に正に帯電した黒色の電気泳動粒子と負に帯電した白色の電気泳動粒子とが含まれる場合、表示電極に正電圧が印加されると、黒色の電気泳動粒子および白色の電気泳動粒子にそれぞれ電気的な力が作用して、白色の電気泳動粒子が表示電極側に移動すると共に、黒色の電気泳動粒子が共通電極側に移動する。これにより、表示領域の共通電極側には黒色が表示される。一方、表示電極に負電圧が印加されると、白色の電気泳動粒子が共通電極側に移動すると共に、黒色の電気泳動粒子が表示電極側に移動する。これにより、表示領域の共通電極側には白色が表示される。表示電極の電位をＧＮＤ電位にされると（すなわち、表示電極への電圧印加が停止されると）、黒色の電気泳動粒子および白色の電気泳動粒子にそれぞれ作用していた電気的な力が消失するため、黒色の電気泳動粒子および白色の電気泳動粒子は各々その場に静止する。これにより、表示領域の表示色は保持される。
【先行技術文献】
【特許文献】
【０００６】
【特許文献１】特開２００８−１７６３３７号公報
【発明の概要】
【発明が解決しようとする課題】
【０００７】
ところで、電気泳動表示装置では、連続駆動を行うと、表示書き換え毎に、電極に吸着して離れない電気泳動粒子の数が増えていくことで、残像が蓄積されていく、という問題がある。また、表示書き換え動作を行わずに長時間放置しておくと、表示媒体の流動性が低下する（すなわち粘性が高まる）ことで、応答速度が鈍化する、という問題もある。
【０００８】
このような問題を解決するために、２枚の基板間に互いに逆向きの電界を交互に付与して、電気泳動粒子を強制的に往復移動させることで、表示媒体を掻き混ぜて、表示媒体の流動性を高めるとともに、流動する表示媒体の圧力により電極に付着した電気泳動粒子を引き剥がし、残像の蓄積を抑制する、というリセット方法が考えられる。
【０００９】
しかしながら、この方法には、以下の問題がある。すなわち、表示媒体の流動性を高めるためには電気泳動粒子を十分な振幅で往復移動させる必要があるが、表示書き換え時と同じ電圧を利用する場合、電気泳動粒子の１往復あたり、表示書き換え時間の２倍程度の時間がかかってしまうことになり、往復移動を繰り返すことで更に長い時間が必要になる。
【００１０】
このような問題点に着目して、本件発明者が鋭意研究を重ねたところ、表示書き換え時よりも高い電圧を利用してリセットを行うことで、表示書き換え時と同じ電圧を利用してリセットを行う場合と比べて、少ない回数の往復でも同様の効果が得られることを知見した。また、表示書き換え時の電圧印加時間長よりも短い時間長で電圧印加を行っても、流動する表示媒体の圧力が高いために残像の蓄積の抑制に効果があり、リセット工程の時間短縮にもつながることを知見した。
【００１１】
一方、ツイストボール方式の反射型表示装置では、回転粒子同士の凝集による動作不良が長期放置や連続駆動により引き起こされるという問題がある。
【００１２】
このような問題点に着目して、本件発明者が鋭意研究を重ねたところ、表示書き換え時よりも高い電圧を利用してリセットを行うことで、回転粒子を強い電界で回転させて動作不良を解消できることを知見した。
【００１３】
本発明は、このような本件発明者の知見に基づくものであり、その目的は、長期放置または連続駆動による動作不良を解消することができる反射型表示装置の駆動方法を提供することにある。また、本発明の目的は、そのような駆動方法に対応できる反射型表示装置を提供することにある。
【課題を解決するための手段】
【００１４】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間には、複数の表示領域を覆う共通電極と、前記表示媒体が配置された表示媒体層と、前記複数の表示領域の各々に対応する複数の表示電極とが、前記一方の基板側から前記他方の基板側に向かって当該順序で設けられており、前記複数の表示領域の各々は、当該表示領域に対応する表示電極に印加される電位の、前記共通電極に印加される電位に対する極性に応じて、第１色および第２色のうちいずれか一方の表示色を選択的に表示可能である、という反射型表示装置を駆動する方法であって、前記共通電極の電位を、第１電位と第２電位との間である第３電位にし、各表示電極の電位を、表示すべき画像の情報に基づいて、前記第１電位と前記第２電位と前記第３電位のうちいずれかにする、という表示書き換え工程と、前記共通電極の電位を前記第１電位にし、各表示電極の電位を前記第２電位にする第１リセットステップと、前記共通電極の電位を前記第２電位にし、各表示電極の電位を前記第１電位にする第２リセットステップと、を交互に繰り返す、というリセット工程と、を備えたことを特徴とする反射型表示装置の駆動方法である。
【００１５】
好ましくは、前記第１リセットステップにおける電圧印加時間長および前記第２リセットステップにおける電圧印加時間長は、それぞれ、前記表示書き換え工程における電圧印加時間長よりも短い。
【００１６】
また、好ましくは、前記反射型表示装置の電源投入後に、前記リセット工程を行う。
【００１７】
また、好ましくは、各表示書き換えタイミングの前に、前記リセット工程を行う。あるいは、前記表示書き換えタイミングを所定の回数繰り返す毎に、前記リセット工程を行ってもよい。
【００１８】
また、好ましくは、所定の時間長が経過する毎に、前記リセット工程を行う。
【００１９】
また、本発明は、前記のような駆動方法に対応できる反射型表示装置である。すなわち、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間に設けられ、前記表示媒体が配置された表示媒体層と、前記一方の基板上に設けられ、複数の表示領域を覆う共通電極と、前記他方の基板上に設けられ、前記複数の表示領域の各々に対応する複数の表示電極と、各表示電極にそれぞれ電圧を印加する電圧印加制御部と、を備え、前記複数の表示領域の各々は、当該表示領域に対応する表示電極に印加される電位の、前記共通電極に印加される電位に対する極性に応じて、第１色および第２色のうちいずれか一方の表示色を選択的に表示可能であり、前記電圧印加制御部は、前記共通電極の電位を、第１電位と第２電位との間である第３電位にし、各表示電極の電位を、表示すべき画像の情報に基づいて、前記第１電位と前記第２電位と前記第３電位のうちいずれかにする、という表示書き換え工程と、前記共通電極の電位を前記第１電位にし、各表示電極の電位を前記第２電位にする第１リセットステップと、前記共通電極の電位を前記第２電位にし、各表示電極の電位を前記第１電位にする第２リセットステップと、を交互に繰り返す、というリセット工程と、を行うように構成されていることを特徴とする反射型表示装置である。
【００２０】
好ましくは、前記第１リセットステップにおける電圧印加時間長および前記第２リセットステップにおける電圧印加時間長は、それぞれ、前記表示書き換え工程における電圧印加時間長よりも短い。
【００２１】
また、好ましくは、前記電圧印加制御部は、当該反射型表示装置の電源投入後に、前記リセット工程を行うように構成されている。
【００２２】
また、好ましくは、前記電圧印加制御部は、各表示書き換え工程の前に、前記リセット工程を行うように構成されている。あるいは、前記電圧印加制御部は、前記表示書き換え工程を所定の回数繰り返す毎に、前記リセット工程を行うように構成されていてもよい。
【００２３】
また、好ましくは、前記電圧印加制御部は、所定の時間長が経過する毎に、前記リセット工程を行うように構成されている。
【発明の効果】
【００２４】
本発明によれば、反射型表示装置において、長期放置または連続駆動による動作不良を解消することができる。
【図面の簡単な説明】
【００２５】
【図１】図１は、本発明の一実施の形態による反射型表示装置を概略的に示す平面図である。
【図２】図２は、図１に示す反射型表示装置のＡ−Ａ線切断断面図である。
【図３】図３は、図１に示す反射型表示装置の駆動方法を説明するための図である。
【図４】図４は、図１に示す反射型表示装置の駆動方法を説明するための図である。
【図５】図５は、図１に示す反射型表示装置の駆動方法を説明するための図である。
【図６】図６は、リセット工程において、共通電極および各表示電極に印加される電圧の波形の一例を示す概略図である。
【図７】図７は、リセット工程において、共通電極および各表示電極に印加される電圧の波形の別例を示す概略図である。
【発明を実施するための形態】
【００２６】
以下に、添付の図面を参照して、本発明の実施の形態を詳細に説明する。
【００２７】
図１は、本発明の一実施の形態による反射型表示装置を概略的に示す平面図である。図２は、図１に示す反射型表示装置のＡ−Ａ線切断断面図である。
【００２８】
図１および図２に示すように、本実施の形態による反射型表示装置１０は、少なくとも一方が透光性を有しており各々電極１２または１５ａ〜１５ｈが形成されている対向する２枚の基板１１、１６間に少なくとも１種以上の電気応答性材料を含む表示媒体１３が封入されていて、前記２枚の基板１１、１６間に所定の電界が与えられる際に所望の表示をするようになっている。ここで、本件の明細書および特許請求の範囲において「透光性」とは、光を通過する性質、という程度の意味である。本実施の形態においては、視認側に配置される基板は、全光透過率が５０％以上、好ましくは８０％以上、さらに好ましくは９０％以上となるような透光性を有している。
【００２９】
本実施の形態では、図１および図２に示すように、一方の基板１１と他方の基板１６との間には、複数（図示された例では８つ）の表示領域１８ａ〜１８ｈを覆う１つまたは２つ以上（図示された例では１つ）の共通電極１２と、表示媒体１３が配置された表示媒体層と、複数の表示領域１８ａ〜１８ｈの各々に対応する複数（図示された例では８つ）の表示電極１５ａ〜１５ｈとが、一方の基板１１側から他方の基板１６側に向かって当該順序で設けられている。ここで「表示領域」とは、反射型表示装置１０において所望の表示に利用される領域、という意味である。
【００３０】
本実施の形態では、図２に示すように、一方の基板１１が視認側に配置され、他方の基板１６が非視認側に配置される。
【００３１】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１２として、酸化インジウムスズ（ＩＴＯ）、酸化亜鉛（ＺｎＯ）、酸化スズ（ＳｎＯ）等の透光性電極を付したものが、典型的に用いられる。本実施の形態の共通電極１２は、セグメント駆動用の共通電極として形成されている。
【００３２】
共通電極１２は、塗工法やスパッタリング法、真空蒸着法、ＣＶＤ法等によって、少なくとも一方の基板１１の複数の表示領域１８ａ〜１８ｈを覆うように形成される。共通電極１２は、必ずしもパターンが形成されている必要は無く、基板全面が電極であってもよい。
【００３３】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３４】
一方の基板１１は、ロール状でもシート状でもどちらでも適用可能である。
【００３５】
他方の基板１６としては、樹脂フィルム、樹脂板、ガラス、エポキシガラス（ガラエポ）等の基材が用いられ、当該基材の表示媒体１３側となる面に、金属等の導電性材料によって表示電極１５ａ〜１５ｈが形成されたものが用いられ得る。本実施の形態の表示電極１５ａ〜１５ｈは、セグメント駆動用のパターン状の電極（セグメント電極）として形成されている。
【００３６】
より詳しくは、図１に示すように、表示電極１５ａ〜１５ｈは、いわゆる７セグメント表示器の駆動電極を構成しており、横長の第１表示電極１５ａと、第１表示電極１５ａの左端から下向きに延びる縦長の第２表示電極１５ｂと、第１表示電極１５ａの右端から下向きに延びる縦長の第３表示電極１５ｃと、第２表示電極１５ｂの下端と第３表示電極１５ｃの下端との間を左右に延びる横長の第４表示電極１５ｄと、第４表示電極１５ｄの左端から下向きに延びる縦長の第５表示電極１５ｅと、第４表示電極１５ｄの右端から下向きに延びる縦長の第６表示電極１５ｆと、第５表示電極１５ｅの下端と第６表示電極１５ｆの下端との間を左右に延びる横長の第７表示電極１５ｇと、第１乃至第７表示電極１５ａ〜１５ｆの外側を覆うように設けられた第８表示電極１５ｈと、を含んでいる。
【００３７】
反射型表示装置１０における各表示領域１８ａ〜１８ｈは、個々の表示電極１５ａ〜１５ｈによって規定される。なお、本明細書では、第１表示電極１５ａによって規定される表示領域１８ａを第１表示領域、第２表示電極１５ｂによって規定される表示領域１８ｂを第２表示領域、第３表示電極１５ｃによって規定される表示領域１８ｃを第３表示領域、第４表示電極１５ｄによって規定される表示領域１８ｄを第４表示領域、第５表示電極１５ｅによって規定される表示領域１８ｅを第５表示領域、第６表示電極１５ｆによって規定される表示領域１８ｆを第６表示領域、第７表示電極１５ｇによって規定される表示領域１８ｇを第７表示領域、第８表示電極１５ｈによって規定される表示領域１８ｈを第８表示領域、と呼ぶことがある。
【００３８】
他方の基板１６には、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、図２に示すように、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００３９】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になりし、コストも高くなるからである。破損しにくく取り扱いが容易である好適な厚みの範囲は、５０μｍ〜３００μｍ程度である。
【００４０】
他方の基板１６も、ロール状でもシート状でもどちらでも適用可能である。
本実施の形態の表示媒体層は、一方の基板１１と他方の基板１６との間において複数のセルを区画する隔壁１４を有しており、各セル内に、表示媒体１３が配置されている。ここで、「セル」とは、電気泳動体の沈降や偏在に起因する表示の不良、特にコントラストの低下を防止するべく２枚の基板１１、１６間において分割された、電気泳動体の微小な泳動空間、すなわち移動空間を意味する。なお、当該移動空間は、マイクロカプセル等、他の構造物によって分割されてもよい。また、電気泳動体の沈降や偏在のおそれが低い場合には、２枚の基板１１、１６間の空間は、このような構造物によって分割されていなくてもよい。
【００４１】
隔壁１４は、紫外線硬化樹脂、熱硬化樹脂、常温硬化樹脂等によって構成可能であり、隔壁１４の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００４２】
隔壁１４の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点間の距離を意味している。
【００４３】
隔壁１４の高さは、５μｍ〜５０μｍ、好ましくは１０μｍ〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０μｍ〜５０μｍの範囲の高さが好適である。
【００４４】
隔壁１４の頂面と、他方の基板１６上の表示電極１５ａ〜１５ｈまたは他方の基板１６と、の間には、隔壁１４の頂面と、他方の基板１６上の表示電極１５ａ〜１５ｈまたは他方の基板１６と、を接着させるための接着層（不図示）が設けられていてもよい。
【００４５】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００４６】
接着層を形成するための接着剤としては、熱可塑性材料を用いた接着剤が好ましく、加熱により軟化して、冷却すると固化する性質を有し、冷却と加熱を繰り返した場合に、組成が可逆的に保たれる材料である。
【００４７】
接着層として、具体的には、例えば、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００４８】
隔壁１４と接着層との密着性を上げるために、隔壁１４に紫外線照射やプラズマ処理などにより表面処理が施されてもよいし、プライマーが形成されてもよい。あるいは、接着層の方にシランカップリング剤が添加されてもよい。
【００４９】
表示媒体１３は、少なくとも１種以上の電気応答性材料を含んでいる。電気応答性材料としては、白色や黒色、カラーなどの色づけされた荷電粒子が電界に応答して移動する、いわゆる電気泳動粒子、または、粒子が二色に色分けされ電界により回転するツイストボールに代表される回転粒子、または、電界により移動するナノ粒子材料などが用いられる。
【００５０】
本実施の形態においては、表示媒体１３は、液体状の分散媒と、当該分散媒に分散された白色の電気泳動粒子および黒色の電気泳動粒子と、を含んでいる。黒色の電気泳動粒子は、正に帯電されており、白色の電気泳動粒子は、負に帯電されている。これにより、表示電極１５ａ〜１５ｈの電位が共通電極１２の電位よりも低くされると、正に帯電した黒色の電気泳動粒子が、分散媒中を表示電極１５ａ〜１５ｈ側に引き寄せられるように泳動し、負に帯電した白色の電気泳動粒子が、分散媒中を共通電極１２側に引き寄せられるように泳動するようになっている。また、表示電極１５ａ〜１５ｈの電位が共通電極１２の電位よりも高くされると、正に帯電した黒色の電気泳動粒子が、分散媒中を共通電極１２側に引き寄せられるように泳動し、負に帯電した白色の電気泳動粒子が、分散媒中を表示電極１５ａ〜１５ｈ側に引き寄せられるように泳動するようになっている。そして、このような白色の電気泳動粒子および黒色の電気泳動粒子の泳動を制御することにより、各表示領域１８ａ〜１８ｈにおいて、白色および黒色のうちいずれか一方の表示色を共通電極１２側（すなわち、視認側）に選択的に表示できるようになっている。
【００５１】
本実施の形態では、図１および図２に示すように、表示媒体１３は外周シール１７によって取り囲まれている。図示された例では、反射型表示装置１０は矩形状であり、これに対応して、外周シール１７は矩形状に配置されている。
【００５２】
外周シール１７は、一方の基板１１上、あるいは、他方の基板１６上に、例えば紫外線硬化樹脂のような接着剤が、ディスペンサを用いて矩形状に塗布され、その後に紫外線によって硬化されることで形成されている。紫外線硬化樹脂の他に、熱硬化樹脂、常温硬化樹脂、ヒートシール樹脂等によっても構成可能である。また、外周シール１７は、ディスペンサの他に、各種の印刷法によって、あるいは、熱圧着によって配置可能である。
【００５３】
図１に示すように、反射型表示装置１０は、更に、各表示電極１５ａ〜１５ｈにそれぞれ電圧を印加する電圧印加制御部１９を備えている。
【００５４】
電圧印加制御部１９は、共通電極１２および各表示電極１５ａ〜１５ｈに電気的に接続されており、共通電極１２の電位および各表示電極１５ａ〜１５ｈの電位を個別に、少なくとも第１電位（例えば０Ｖ）と、第２電位（例えば＋３０Ｖ）と、第１電位と第２電位との間である第３電位（例えば＋１５Ｖ）と、に選択的にすることが可能である。言い換えれば、電圧印加制御部１９は、共通電極１２の電位および各表示電極１５ａ〜１５ｈの電位を個別に、少なくとも第３電位（すなわち＋１５Ｖ）と、第３電位に対して負の極性の第１電位（すなわち０Ｖ）と、第３電位に対して正の極性の第２電位（すなわち＋３０Ｖ）と、に選択的にすることが可能である。なお、第３電位は、第１電位と第２電位との間であれば、第１電位と第２電位との厳密に真ん中であることに限定されず、第２電位より第１電位に近くてもよいし、第１電位より第２電位に近くてもよい。
【００５５】
本実施の形態では、電圧印加制御部１９は、表示書き換えタイミングにおいて、共通電極１２の電位を、第３電位（すなわち＋１５Ｖ）にし、各表示電極１５ａ〜１５ｈの電位を、表示すべき画像の情報に基づいて、第１電位（すなわち０Ｖ）と第２電位（すなわち＋３０Ｖ）と第３電位（すなわち＋１５Ｖ）のうちいずれかにする、という表示書き換え工程を行うように構成されている。
【００５６】
具体的には、例えば、表示書き換えタイミングにおいて、黒色から白色に表示色を切り替えるべき表示領域（例えば第１表示領域１８ａ）については、電圧印加制御部１９は、共通電極１２の電位を第３電位（すなわち＋１５Ｖ）にするとともに、第１表示電極１５ａの電位を第１電位（すなわち０Ｖ）に所定の書き込み時間長（例えば３００ｍｓ〜４００ｍｓ）だけするようになっている。これにより、共通電極１２の電位に対する第１表示電極１５ａの電位の極性が負となり、負に帯電した白色の電気泳動粒子が共通電極１２に吸着されると共に、正に帯電した黒色の電気泳動粒子が第１表示電極１５ａに吸着され、結果的に、第１表示領域１８ａの共通電極１２側（視認側）には白色が表示される。その後、電圧印加制御部１９は、第１表示電極１５ａの電位も第３電位（すなわち＋１５Ｖ）にするようになっている。これにより、共通電極１２の電位と第１表示電極１５ａの電位とが同電位となり、黒色の電気泳動粒子および白色の電気泳動粒子は各々その場に静止し、結果的に、第１表示領域１８ａの白色の表示色がそのまま保持される。
【００５７】
また、表示書き換えタイミングにおいて、白色から黒色に表示色を切り替えるべき表示領域（例えば第２表示領域１８ｂ）については、電圧印加制御部１９は、共通電極１２の電位を第３電位（すなわち＋１５Ｖ）にするとともに、第２表示電極１５ｂの電位を第２電位（すなわち＋３０Ｖ）に所定の書き込み時間長（例えば３００ｍｓ〜４００ｍｓ）だけするようになっている。これにより、共通電極１２の電位に対する第２表示電極１５ｂの電位の極性が正となり、正に帯電した黒色の電気泳動粒子が共通電極１２に吸着されると共に、負に帯電した白色の電気泳動粒子が第２表示電極１５ｂに吸着され、結果的に、第２表示領域１８ｂの共通電極１２側（視認側）には黒色が表示される。その後、電圧印加制御部１９は、第２表示電極１５ｂの電位も第３電位（すなわち＋１５Ｖ）にするようになっている。これにより、共通電極１２の電位と第２表示電極１５ｂの電位とが同電位となり、黒色の電気泳動粒子および白色の電気泳動粒子は各々その場に静止し、結果的に、第２表示領域１８ｂの白色の表示色がそのまま保持される。
【００５８】
また、表示書き換えタイミングにおいて、表示色をそのまま保持すべき表示領域（例えば第３表示領域１８ｃ）については、電圧印加制御部１９は、共通電極１２の電位を第３電位（すなわち＋１５Ｖ）にするとともに、第３表示電極１５ｃの電位も第３電位（すなわち＋１５Ｖ）にするようになっている。共通電極１２の電位と第３表示電極１５ｃの電位とが同電位（すなわち＋１５Ｖ）にされることで、黒色の電気泳動粒子および白色の電気泳動粒子は各々その場に静止し、結果的に、第３表示領域１８ｃの表示色がそのまま保持される。
【００５９】
なお、本明細書において「表示書き換えタイミング」とは、反射型表示装置１０において観察者に対して所望の表示画像を改めて表示するタイミング、という意味であり、例えばデジタル表示時計のように所定の周期、例えば１ｓで繰り返すタイミングであってもよいし、電卓のように手動で不規則的に与えられるタイミングであってもよい。
【００６０】
また、電圧印加制御部１９は、大きさＶの電圧を時間長Ｔだけ印加する場合、大きさＶの電圧を時間長Ｔだけ連続して印加するようになっていてもよいし、大きさＶで時間長（パルス幅）Ｗのパルス状の電圧をＴ／Ｗ回だけ繰り返し印加するようになっていてもよい。
【００６１】
また、電圧印加制御部１９は、共通電極１２の電位を第１電位（すなわち０Ｖ）にし、各表示電極１５ａ〜１５ｈの電位を第２電位（すなわち＋３０Ｖ）にする第１リセットステップＳ１と、共通電極１２の電位を第２電位（すなわち＋３０Ｖ）にし、各表示電極１５ａ〜１５ｈの電位を第１電位（すなわち０Ｖ）にする第２リセットステップＳ２と、を交互に繰り返す、というリセット工程を行うように構成されている。
【００６２】
図６は、リセット工程において、共通電極１２および各表示電極１５ａ〜１５ｈに印加される電圧の波形の一例を示す概略図である。
【００６３】
図６に示すように、電圧印加制御部１９は、第１リセットステップＳ１として、共通電極１２の電位を第１電位（すなわち０Ｖ）にするとともに、各表示電極１５ａ〜１５ｈの電位を第２電位（すなわち＋３０Ｖ）にするようになっている。これにより、共通電極１２の電位に対する各表示電極１５ａ〜１５ｈの電位の極性が正となり、正に帯電した黒色の電気泳動粒子が共通電極１２側に移動すると共に、負に帯電した白色の電気泳動粒子が第２表示電極１５ｂ側に移動する。ここで、共通電極１２と各表示電極１５ａ〜１５ｈとの間の電位差は、表示書き換え時の電位差の２倍程度であるため、各電気泳動粒子には表示書き換え時に作用する電気的な力の２倍程度の大きさの電気的な力が作用する。そのため、各電気泳動粒子は、共通電極１２と各表示電極１５ａ〜１５ｈとの間を、表示書き換え時の移動速度より速い移動速度で移動する。したがって、第１リセットステップＳ１における電圧印加時間長は、書き込み時間長より短縮することが可能であり、例えば３０ｍｓである。
【００６４】
また、電圧印加制御部１９は、第２リセットステップＳ２として、共通電極１２の電位を第２電位（すなわち＋３０Ｖ）にするとともに、各表示電極１５ａ〜１５ｈの電位を第１電位（すなわち０Ｖ）にするようになっている。これにより、共通電極１２の電位に対する各表示電極１５ａ〜１５ｈの電位の極性が負となり、負に帯電した白色の電気泳動粒子が共通電極１２側に移動すると共に、正に帯電した黒色の電気泳動粒子が第２表示電極１５ｂ側に移動する。ここでも、共通電極１２と各表示電極１５ａ〜１５ｈとの間の電位差は、表示書き換え時の電位差の２倍程度であるため、各電気泳動粒子には表示書き換え時に作用する電気的な力の２倍程度の大きさの電気的な力が作用する。そのため、各電気泳動粒子は、共通電極１２と各表示電極１５ａ〜１５ｈとの間を、表示書き換え時の移動速度より速い移動速度で移動する。したがって、第２リセットステップＳ２における電圧印加時間長も、書き込み時間長より短縮することが可能であり、例えば３０ｍｓである。
【００６５】
図６に示すように、電圧印加制御部１９は、１回の第１リセットステップＳ１と１回の第２リセットステップＳ２との組を単位リセットサイクルとして、当該単位リセットサイクル（Ｓ１＋Ｓ２）を所定の回数、例えば３０回繰り返すようになっている。単位リセットサイクル（Ｓ１＋Ｓ２）が所定の回数繰り返されることで、共通電極１２と各表示電極１５ａ〜１５ｈとの間において電気泳動粒子が強制的に所定の回数往復移動され、これにより、表示媒体１３が掻き混ぜられて、表示媒体１３の流動性が高められ得る、すなわち、表示媒体１３の粘度が低減され得る。また、流動する表示媒体１３の圧力により共通電極１２および／または各表示電極１５ａ〜１５ｈに付着した電気泳動粒子が引き剥がされ、残像の蓄積が抑制され得る。
【００６６】
本実施の形態では、電圧印加制御部１９は、反射型表示装置１０の電源投入後にリセット工程を行うように構成されている。
【００６７】
また、本実施の形態では、電圧印加制御部１９は、各表示書き換え工程の前にもリセット工程を行うように構成されている。
【００６８】
次に、このような構成からなる反射型表示装置１０の駆動方法の一例について、図３および図４を参照して説明する。
【００６９】
図３に示すように、初期状態では、反射型表示装置１０の共通電極１２側（視認側）に、数字の「３」を表す初期画像が表示されている。すなわち、第１表示領域１８ａと第３表示領域１８ｃと第４表示領域１８ｄと第６表示領域１８ｆと第７表示領域１８ｇとには黒色が表示されており、第２表示領域１８ｂと第５表示領域１８ｅと第８表示領域１８ｈとには白色が表示されている。また、初期状態では、反射型表示装置１０の電源がオフにされており、共通電極１２および各表示電極１５ａ〜１５ｈの電位は自由放電によりＧＮＤ電位（０Ｖ）となっている。
【００７０】
まず、図３に示すように、反射型表示装置１０の電源がオンにされ、数字の「３」を表す初期画像から、数字の「２」を表す第１画像に表示を書き換える工程を説明する。
【００７１】
この場合、電圧印加制御部１９は、反射型表示装置１０の電源投入後に、好ましくは電源投入に連動して、リセット工程を行う。すなわち、共通電極１２の電位を第１電位（すなわち０Ｖ）にし、各表示電極１５ａ〜１５ｈの電位を第２電位（すなわち＋３０Ｖ）にする第１リセットステップＳ１と、共通電極１２の電位を第２電位（すなわち＋３０Ｖ）にし、各表示電極１５ａ〜１５ｈの電位を第１電位（すなわち０Ｖ）にする第２リセットステップＳ２と、を交互に繰り返す。具体的には、例えば、１回の第１リセットステップＳ１と１回の第２リセットステップＳ２との組を単位リセットサイクルとして、当該単位リセットサイクル（Ｓ１＋Ｓ２）をＮｉｎｉ＝３０回繰り返す。第１リセットステップＳ１における電圧印加時間長は、例えば３０ｍｓであり、第２リセットステップＳ２における電圧印加時間長は、例えば３０ｍｓである。
【００７２】
第１リセットステップＳ１では、共通電極１２の電位に対する各表示電極１５ａ〜１５ｈの電位の極性が正となり、正に帯電した黒色の電気泳動粒子が共通電極１２側に移動すると共に、負に帯電した白色の電気泳動粒子が各表示電極１５ａ〜１５ｈ側に移動して、各表示領域１８ａ〜１８ｈには黒色が表示される。
【００７３】
また、第２リセットステップＳ２では、共通電極１２の電位に対する各表示電極１５ａ〜１５ｈの電位の極性が負となり、負に帯電した白色の電気泳動粒子が共通電極１２側に移動すると共に、正に帯電した黒色の電気泳動粒子が各表示電極１５ａ〜１５ｈ側に移動して、各表示領域１８ａ〜１８ｈには白色が表示される。
【００７４】
このような第１リセットステップＳ１と第２リセットステップＳ２とが交互に繰り返されることで、共通電極１２と各表示電極１５ａ〜１５ｈとの間において電気泳動粒子が強制的に往復移動され、これにより、表示媒体１３が掻き混ぜられて、表示媒体１３の流動性が高められる、すなわち、表示媒体１３の粘度が低減される。
【００７５】
また、第１リセットステップＳ１および第２リセットステップＳ２における共通電極１２と各表示電極１５ａ〜１５ｈとの間の電位差は、表示書き換え時の電位差の２倍程度であるため、各電気泳動粒子には、表示書き換え時に作用する電気的な力の２倍程度の大きさの電気的な力が作用し、各電気泳動粒子は、共通電極１２と各表示電極１５ａ〜１５ｈとの間を、表示書き換え時の移動速度より速い移動速度で移動する。したがって、表示書き換え時と同じ電圧を利用する場合に比べて、比較的短い時間で、表示媒体１３の流動性を高めることができる。
【００７６】
本実施の形態では、リセット工程が第２リセットステップＳ２で終わるようになっており、リセット工程の直後には、各表示領域１８ａ〜１８ｈに白色が表示されている。
【００７７】
次に、電圧印加制御部１９は、共通電極１２の電位と第２表示電極１５ｂの電位と第６表示電極１５ｆの電位と第８表示電極１５ｈの電位とを、第３電位（すなわち＋１５Ｖ）にし、第１表示電極１５ａの電位と第３表示電極１５ｃの電位と第４表示電極１５ｄの電位と第５表示電極１５ｅの電位と第７表示電極１５ｇの電位とを、第２電位（すなわち＋３０Ｖ）に所定の書き込み時間長（例えば３００ｍｓ〜４００ｍｓ）だけし、その後第３電位（すなわち＋１５Ｖ）にする。これにより、第２表示領域１８ｂと第６表示領域１８ｆと第８表示領域１８ｈの表示色は、白色のまま保持される。一方、第１表示領域１８ａと第３表示領域１８ｃと第４表示領域１８ｄと第５表示領域１８ｅと第７表示領域１８ｇの表示色は、白色から黒色に切り替わる。これにより、反射型表示装置１０の共通電極１２側（視認側）に、数字の「２」を表す第１画像が表示される。
【００７８】
本実施の形態では、反射型表示装置１０の電源投入後にリセット工程が行わることで、表示媒体１３の流動性が高められているため、第１画像を表示させる際の応答速度が改善され得る。
【００７９】
次に、図４に示すように、数字の「２」を表す第１画像から、数字の「６」を表す第２画像に表示を書き換える工程を説明する。
【００８０】
この場合、電圧印加制御部１９は、表示書き換え工程の前に、リセット工程を行う。すなわち、共通電極１２の電位を第１電位（すなわち０Ｖ）にし、各表示電極１５ａ〜１５ｈの電位を第２電位（すなわち＋３０Ｖ）にする第１リセットステップＳ１と、共通電極１２の電位を第２電位（すなわち＋３０Ｖ）にし、各表示電極１５ａ〜１５ｈの電位を第１電位（すなわち０Ｖ）にする第２リセットステップＳ２と、を交互に繰り返す。具体的には、例えば、１回の第１リセットステップＳ１と１回の第２リセットステップＳ２との組を単位リセットサイクルとして、当該単位リセットサイクル（Ｓ１＋Ｓ２）をＮｒｅｓｅｔ＝３０回繰り返す。第１リセットステップＳ１における電圧印加時間長は、例えば３０ｍｓであり、第２リセットステップＳ２における電圧印加時間長は、例えば３０ｍｓである。
【００８１】
前記したように第１リセットステップＳ１と第２リセットステップＳ２とが交互に繰り返されることで、共通電極１２と各表示電極１５ａ〜１５ｈとの間において電気泳動粒子が強制的に往復移動され、これにより、表示媒体１３が掻き混ぜられる。さらに、流動する表示媒体１３の圧力により、共通電極１２または各表示電極１５ａ〜１５ｈに付着していた電気泳動粒子が引き剥がされ、第１画像の残像が低減される。
【００８２】
また、前記したように第１リセットステップＳ１および第２リセットステップ２における共通電極１２と各表示電極１５ａ〜１５ｈとの間の電位差は、表示書き換え時の電位差の２倍程度であるため、各電気泳動粒子には、表示書き換え時に作用する電気的な力の２倍程度の大きさの電気的な力が作用し、各電気泳動粒子は、共通電極１２と各表示電極１５ａ〜１５ｈとの間を、表示書き換え時の移動速度より速い移動速度で移動する。したがって、表示書き換え時と同じ電圧を利用する場合に比べて、比較的短い時間で、残像の蓄積を抑制することができる。
【００８３】
本実施の形態では、リセット工程が第２リセットステップＳ２で終わるようになっており、リセット工程の直後には、各表示領域１８ａ〜１８ｈに白色が表示されている。
【００８４】
次に、電圧印加制御部１９は、共通電極１２の電位と第３表示電極１５ｃの電位と第８表示電極１５ｈの電位を、第３電位（すなわち＋１５Ｖ）にし、第１表示電極１５ａの電位と第２表示電極１５ｂの電位と第４表示電極１５ｄの電位と第５表示電極１５ｅの電位と第６表示電極１５ｆの電位と第７表示電極１５ｇの電位とを、第２電位（すなわち＋３０Ｖ）に所定の書き込み時間長（例えば３００ｍｓ〜４００ｍｓ）だけし、その後第３電位（すなわち＋１５Ｖ）にする。これにより、第３表示領域１８ｃと第８表示領域１８ｈの表示色は、白色のまま保持される。一方、第１表示領域１８ａと第２表示領域１８ｂと第４表示領域１８ｄと第５表示領域１８ｅと第６表示領域１８ｆと第７表示領域１８ｇの表示色は、白色から黒色に切り替わる。これにより、反射型表示装置１０の共通電極１２側（視認側）に、数字の「６」を表す第２画像が得られる。
【００８５】
本実施の形態では、表示書き換え工程の前にリセット工程が行わることで、第２画像を表示させる前に第１画像の残像の蓄積が抑制されているため、第２画像の表示コントラストが改善され得る。
【００８６】
以上のように本実施の形態によれば、リセット工程において、第１リセットステップＳ１と第２リセットステップＳ２とが繰り返されることで、共通電極１２と各表示電極１５ａ〜１５ｈとの間において電気泳動粒子が強制的に往復移動され、表示媒体１３の流動性が高められ得るとともに、残像の蓄積が抑制され得る。ここで、第１リセットステップＳ１および第２リセットステップＳ２では、共通電極１２と各表示電極１５ａ〜１５ｈとの間に、書き込み時の印加電圧の２倍程度の大きさの電圧が印加されるため、電気泳動粒子の移動速度が書き込み時の移動速度に比べて速く、電気泳動粒子の１往復あたりにかかる時間が短縮される。したがって、書き込み時と同じ電圧を利用する場合と比べて、比較的短い時間で、表示媒体１３の流動性を高めることができるとともに、残像の蓄積を抑制することができる。言い換えれば、本実施の形態によって、長期放置または連続駆動による動作不良を解消することができる。
【００８７】
また、通常、反射型表示装置１０の電源投入前は、表示状態の書き換えが長時間行われずに放置された状態にあり、表示媒体１３の流動性が低下しているため、応答速度が鈍化しているが、本実施の形態によれば、反射型表示装置１０の電源投入後にリセット工程が行われることで、表示媒体１３の流動性が高められ、結果的に、応答速度が改善し得る。
【００８８】
また、本実施の形態によれば、各表示書き換え工程の前にリセット工程が行われることで、残像の蓄積が抑制され、これにより、表示画像のコントラストが改善し得る。
【００８９】
なお、本実施の形態では、各表示書き換え工程の前のリセット工程における単位リセットサイクルの繰り返し回数Ｎｒｅｓｅｔが、反射型表示装置１０の電源投入後のリセット工程における単位リセットサイクルの繰り返し回数Ｎｉｎｉと同じであったが、これに限定されず、異なっていてもよい。
【００９０】
また、本実施の形態では、電圧印加制御部１９は、各表示書き換え工程の前にリセット工程を行うように構成されていたが、これに限定されず、表示書き換え工程を所定の回数、例えば１００回繰り返す毎に、リセット工程を行うように構成されていてもよい。この場合、各表示書き換え工程の前にリセット工程を行うという本実施の形態に比べて、表示書き換えの時間間隔を短くすることができる。
【００９１】
また、本実施の形態では、図６に示すように、リセット工程が第１リセットステップＳ１から開始され、第２リセットステップＳ２で終了するようになっていたが、これに限定されず、例えば、図７に示すように、リセット工程が第２リセットステップＳ２から開始され、第１リセットステップＳ１で終了するようになっていてもよい。あるいは、リセット工程が第１リセットステップＳ１から開始され、第１リセットステップＳ１で終了するようになっていてもよいし、リセット工程が第２リセットステップＳ２から開始され、第２リセットステップＳ２で終了するようになっていてもよい。これらの場合でも、本実施の形態と同様の作用効果が得られる。
【００９２】
また、電圧印加制御部１９は、所定の時間長、例えば１０時間が経過する毎にリセット工程を行うように構成されていてもよい。言い換えれば、電圧印加制御部１９は、所定の時間周期、例えば１０時間でリセット工程を繰り返すように構成されていてもよい。例えば表示状態の書き換えが長時間、例えば１０時間以上行われずに放置されていると、表示媒体１３の流動性が低下することで応答速度が鈍化してしまうが、所定の時間長、例えば１０時間が経過する毎に自動的にリセット工程が行われることで、応答速度の鈍化が防止され得る。
【００９３】
なお、本実施の形態では、表示媒体１３に電気応答性材料として電気泳動粒子が含まれていたが、これに限定されず、例えば、表示媒体１３に電気応答性材料としてツイストボールに代表される回転粒子が含まれていてもよい（第２の実施の形態）。ツイストボール方式の反射型表示装置では、回転粒子同士の凝集による動作不良が長期放置や連続駆動により引き起こされる。すなわち、ツイストボール方式の反射型表示装置では、長期放置や連続駆動により回転粒子同士に凝集が生じるが、一旦凝集が生じるとその安定した状態を保持しようとする傾向が働くため、応答速度が鈍化する。しかしながら、第２の実施の形態によれば、リセット工程において、第１リセットステップＳ１と第２リセットステップＳ２とが繰り返され、各リセット工程では、共通電極１２と各表示電極１５ａ〜１５ｈとの間に書き込み時の印加電圧の２倍程度の大きさの電圧が印加されることで、共通電極１２と各表示電極１５ａ〜１５ｈとの間の強い電界により回転粒子は安定した状態を保持しようとする傾向に逆らって強制的に回転され、結果的に、回転粒子同士の凝集が解消され得る。したがって、長期放置または連続駆動による動作不良、すなわち応答速度の鈍化を解消することができる。
【符号の説明】
【００９４】
１０      反射型表示装置
１１      一方の基板
１２      共通電極
１３      表示媒体
１４      隔壁
１５ａ〜１５ｈ    表示電極
１６      他方の基板
１７      外周シール
１８ａ〜１８ｈ    表示領域
１９      電圧印加制御部
【図１】
2016009031.tif 000003
【図２】
2016009031.tif 000004
【図３】
2016009031.tif 000005
【図４】
2016009031.tif 000006
【図５】
2016009031.tif 000007
【図６】
2016009031.tif 000008
【図７】
2016009031.tif 000009